(57)【要約】      （修正有）【課題】自動製氷装置を有する冷蔵庫において、製氷皿から落下する氷と貯氷箱との衝突音を低減することができる冷蔵庫を提供する。【解決手段】冷蔵庫の冷凍室内に収納容器１９が配設され、製氷皿１８の下方の収納容器１９内には防音仕切体２４が配設されている。防音仕切体２４には傾斜面２４Ａが形成され、傾斜面２４Ａは製氷皿１８側へと凸となる曲面である。そして、製氷皿１８から落下する氷が最初に傾斜面２４Ａと衝突する位置に防音仕切体２４が配設されることで、氷の落下距離が短くなり、氷と防音仕切体２４との衝突時の衝撃が緩和され、氷が落下する際の衝突音が低減される。【選択図】図４
2018059693.tif 000002
【特許請求の範囲】
【請求項１】
冷凍室を備えた冷蔵庫であり、
前記冷凍室には、少なくとも水から氷を製氷する製氷皿と、前記製氷皿にて製氷された前記氷を収納する収納容器とを有し、
前記収納容器には前記冷凍室の奥行き方向に延在する防音仕切体が配設され、前記防音仕切体には前記製氷皿から落下する前記氷が前記収納容器の底面よりも先に衝突する傾斜面が形成されていることを特徴とする冷蔵庫。
【請求項２】
前記防音仕切体の前記傾斜面は前記製氷皿側へと凸となる曲面であり、前記傾斜面が配置された前記防音仕切体と前記収納容器の前記底面との間は収納空間として用いられることを特徴とする請求項１に記載の冷蔵庫。
【請求項３】
前記収納容器は前記冷凍室に対して１つ配設され、前記収納容器は少なくとも前記防音仕切体により収納スペースが区画され、前記製氷皿下方であり、前記防音仕切体と前記収納容器とにより囲まれた領域は前記氷の貯氷スペースとして用いられることを特徴とする請求項１または請求項２に記載の冷蔵庫。
【請求項４】
前記製氷皿は前記冷凍室の前方側の前記収納容器の側面から離間領域を有して配設され、前記離間領域の下方では前記貯氷スペースが狭まるように前記防音仕切体は湾曲していることを特徴とする請求項３に記載の冷蔵庫。
【発明の詳細な説明】
【技術分野】
【０００１】
本発明は、製氷皿にて製氷された氷が落下する際に生じる衝突音を低減する冷蔵庫に関し、特に、氷を収納する収納容器に防音仕切体を有する冷蔵庫に関する。
【背景技術】
【０００２】
従来の製氷皿にて製氷された氷を収納する収納容器として、以下の構造が知られている。図６（Ａ）は冷蔵庫１００の断面図を示し、図６（Ｂ）は冷凍室１０７の断面図を示している。図６（Ａ）に示す如く、冷蔵庫１００の本体１０１は、主に、内箱１０２と、外箱１０３と、内箱１０２と外箱１０３との間に充填される発泡ポリウレタン断熱材１０４により構成されている。そして、冷蔵庫１００の内箱１０２は仕切壁１０５により上下に区画され、上段から冷蔵室１０６、冷凍室１０７、野菜室１０８が設けられている。尚、図示したように、冷凍室１０７では、その内部は仕切壁により区切られてはいないが、その庫内が上下２段式になっている。
【０００３】
図６（Ｂ）では冷凍室１０７の上段側の庫内の断面図を示しているが、冷凍室１０７内は左右２つに仕切られ、左側の上段に自動製氷機１０９、その下段に貯氷容器１１０、右側の上段に上容器１１１、その下段に下容器１１２が配設されている。一方、図６（Ａ）に示すように、冷凍室１０７の下段側には、１つの容器１１３が配設されている（例えば、特許文献１参照。）。
【先行技術文献】
【特許文献】
【０００４】
【特許文献１】特許第３５６８３１３号公報
【発明の概要】
【発明が解決しようとする課題】
【０００５】
上述した冷蔵庫１００では、自動製氷機１０９の真下に貯氷容器１１０が配設され、自動製氷機１０９にて製氷された氷は、貯氷容器１１０内へと自動落下する。そして、自動製氷機１０９により繰り返し製氷作業が行われることで、貯氷容器１１０内には一定量の氷が貯められる。このとき、自動製氷機１０９から落下した氷が、直接、貯氷容器１１０の底面や貯氷容器１１０内に貯められた氷へと衝突することで、氷の落下時の衝突音が大きく、騒音となるという問題がある。特に、貯氷容器１１０内に氷が無い場合や貯氷容器１１０内に氷が若干貯められている程度の場合には、自動製氷機１０９からの氷の落下距離も長く、勢いよく衝突することで、上記落下時の衝突音も大きくなってしまう。
【０００６】
また、図６（Ａ）に示すように、冷凍室１０７が各容器１１０〜１１３により上下２段に仕切られ、更に、冷凍室１０７の上段側は、各容器１１０〜１１２により左右に仕切られている。この構造では、貯氷容器１１０の大きさを使用者の要望に応じて変更することが出来ないという問題がある。例えば、夏場のように氷の使用頻度が増える場合には、貯氷容器１１０を大きくし、沢山の氷を貯めて置きたいという要望があるが、上記貯氷容器１１０の大きさは変更できず、貯氷容器１１０の大きさ以上の氷を貯めて置くことは出来なかった。
【０００７】
一方、上記沢山の氷を貯めて置きたいという要望に対して、仮に冷凍室１０７の下段側のスペースを利用し貯氷容器１１０の大きさを大きく出来る場合には、自動製氷機１０９から落下した氷の上記衝突音が更に大きくなってしまうという新たな問題が発生することとなる。
【０００８】
また、図６（Ｂ）に示すように、冷凍室１０７内が左右２つに仕切られる構造では、個々の貯氷容器１１０、上容器１１１、下容器１１２の大きさを変更することが出来ず、収納する食品の大きさや形状に合わせて冷凍室１０７内の収納スペースをアレンジすることが出来ないという問題がある。
【０００９】
また、来客時に備えてサイズの大きい冷凍ピザ等をストックする際に、冷凍室１０７の上容器１１１や下容器１１２では収納し難く、下段側の容器１１３でもその貯蔵量に限界がある。例えば、冬場のように氷の使用頻度が低減する場合には、氷の収納スペースよりも冷凍食品等の収納スペースを増大させたいという要望があるが、各容器１１０〜１１３の大きさは変更できず、冷凍食品等の収納スペースを増大させることは出来なかった。
【００１０】
本発明は、上記の事情に鑑みてなされたものであり、製氷皿の下方に防音仕切体を配設し、製氷皿から落下する氷が防音仕切体に衝突した後、収納容器内に収まることで、氷の落下時の衝突音が低減されると共に冷凍室内の収納スペースを有効活用できる冷蔵庫を提供することにある。
【課題を解決するための手段】
【００１１】
本発明の冷蔵庫では、冷凍室を備えた冷蔵庫であり、前記冷凍室には、少なくとも水から氷を製氷する製氷皿と、前記製氷皿にて製氷された前記氷を収納する収納容器とを有し、前記収納容器には前記冷凍室の奥行き方向に延在する防音仕切体が配設され、前記防音仕切体には前記製氷皿から落下する前記氷が前記収納容器の底面よりも先に衝突する傾斜面が形成されていることを特徴とする。
【００１２】
また、本発明の冷蔵庫では、前記防音仕切体の前記傾斜面は前記製氷皿側へと凸となる曲面であり、前記傾斜面が配置された前記防音仕切体と前記収納容器の前記底面との間は収納空間として用いられることを特徴とする。
【００１３】
また、本発明の冷蔵庫では、前記収納容器は前記冷凍室に対して１つ配設され、前記収納容器は少なくとも前記防音仕切体により収納スペースが区画され、前記製氷皿下方であり、前記防音仕切体と前記収納容器とにより囲まれた領域は前記氷の貯氷スペースとして用いられることを特徴とする。
【００１４】
また、本発明の冷蔵庫では、前記製氷皿は前記冷凍室の前方側の前記収納容器の側面から離間領域を有して配設され、前記離間領域の下方では前記貯氷スペースが狭まるように前記防音仕切体は湾曲していることを特徴とする。
【発明の効果】
【００１５】
本発明の冷蔵庫では、製氷皿にて製氷された氷を貯氷する収納容器が冷凍室内に配設され、収納容器には製氷皿の下方に防音仕切体が配設されている。防音仕切体には製氷皿から落下する氷が衝突する傾斜面が形成されている。この構造により、落下する氷が傾斜面へ衝突するまでの落下距離が短くなり、衝突時の衝撃が緩和され、氷の落下時の衝突音が低減される。
【００１６】
また、本発明の冷蔵庫では、防音仕切体の傾斜面が、製氷皿側へと凸な曲面として形成されることで、落下する氷との接触面積が低減され、氷の落下時の衝突音が低減される。更には、防音仕切体の傾斜面の下方は、収納スペースとして用いられることで、冷凍室の収納容器内の収納効率が向上される。
【００１７】
また、本発明の冷蔵庫では、冷凍室内には１つの収納容器が配設され、収納容器内の防音仕切体にて区画された領域が貯氷スペースとして利用される。この構造により、収納容器を深くすることができ、貯氷量を増大させることができる。その一方にて、防音仕切体を用いることで、氷の落下時の衝突音が大きくなることが防止される。
【００１８】
また、本発明の冷蔵庫では、製氷皿が収納容器の前方側の側面よりも冷凍室の奥側へと配設されることで、氷の落下時の衝突音が冷凍室の外部へ漏れ難くなる。更には、防音仕切体の前方側が、貯氷スペースが狭まる方向へ湾曲することで、隣接する収納スペースを拡大でき、収納容器内の収納効率が向上される。
【図面の簡単な説明】
【００１９】
【図１】本発明の実施形態に係る冷蔵庫を示す図であり（Ａ）斜視図、（Ｂ）断面図である。
【図２】本発明の実施形態に係る冷蔵庫の冷凍室内の配置状況を説明する（Ａ）斜視図、（Ｂ）上面図である。
【図３】本発明の実施形態に係る冷蔵庫の冷凍室に収納される収納容器に用いられる防音仕切体を説明する（Ａ）斜視図、（Ｂ）上面図、（Ｃ）断面図である。
【図４】本発明の実施形態に係る冷蔵庫の冷凍室の配置状況を説明する（Ａ）斜視図、（Ｂ）断面図である。
【図５】本発明の実施形態に係る冷蔵庫の冷凍室に配置される収納容器を説明する（Ａ）斜視図、（Ｂ）斜視図である。
【図６】従来における冷蔵庫を説明する（Ａ）断面図、（Ｂ）断面図である。
【発明を実施するための形態】
【００２０】
以下、本発明の実施形態に係る冷蔵庫１を図面に基づき詳細に説明する。尚、以下の説明では、上下方向は冷蔵庫１の高さ方向を示し、左右方向は冷蔵庫１の幅方向を示し、前後方向は冷蔵庫１の奥行方向を示している。
【００２１】
図１（Ａ）は、本発明の実施形態に係る冷蔵庫１の概略構造を示す斜視図であり、図１（Ｂ）は、本発明の実施形態に係る冷蔵庫１の概略構造を示す断面図である。
【００２２】
図１（Ａ）に示すように、冷蔵庫１は、本体としての断熱箱体２を備え、この断熱箱体２の内部に食品等を貯蔵する貯蔵室が形成されている。また、貯蔵室として、具体的には、上段から、冷蔵室９（図１（Ｂ）参照）、冷凍室１０（図１（Ｂ）参照）、野菜室１１（図１（Ｂ）参照）が形成されている。
【００２３】
断熱箱体２の各貯蔵室の前面は開口し、上記開口には、各々断熱扉３、４、５が開閉自在に設けられている。断熱扉３は、例えば、前方から見て右端の上下端部が回動自在に断熱箱体２により支持され、冷蔵室９の開口を前方から開閉自在に塞ぐ扉である。そして、断熱扉４および断熱扉５は、断熱箱体２に対して前後方向に引出自在に配設され、それぞれ冷凍室１０、野菜室１１の開口を前方から塞ぐ扉である。
【００２４】
図１（Ｂ）に示すように、冷蔵庫１の本体である断熱箱体２は、前面が開口する鋼板製の外箱６と、この外箱６内に間隙を持たせて配設され、前面が開口する合成樹脂製の内箱７と、を有する。外箱６と内箱７との間隙には、発泡ポリウレタン製の断熱材８が充填発泡されている。尚、上述した断熱扉３、４、５も、断熱箱体２と同様に、断熱構造を有している。また、図１（Ｂ）では、空気が流れる方向を矢印で示している。
【００２５】
冷蔵室９と冷凍室１０との間及び冷凍室１０と野菜室１１との間はそれぞれ断熱仕切壁１２、１３によって仕切られている。そして、断熱仕切壁１２、１３も、上述した断熱箱体２と同様に、断熱構造を有している。
【００２６】
内箱７の内部であって冷凍室１０の後方には、合成樹脂板等からなる仕切部材１４で区画されて冷却室１５が形成されている。冷却室１５の内部には、冷蔵庫１内を循環する空気を冷却するための蒸発器である冷却器１６が配設されている。そして、冷却器１６は、圧縮機１７、放熱器（図示せず）及びキャピラリーチューブ（図示せず）若しくは膨張弁（図示せず）に冷媒配管（図示せず）を介して接続されており、蒸気圧縮式の冷凍サイクル回路を構成している。
【００２７】
詳細は後述するが、冷凍室１０には、断熱仕切壁１２の下方に製氷皿１８が配設され、その製氷皿１８の下方を含むように、１つの収納容器１９が配設されている。そして、収納容器１９は、防音仕切体２４（図３（Ａ）参照）や仕切体２８、２９（図５（Ｂ）参照）によって、その収納スペースを自在に変更できる構造である。
【００２８】
尚、冷蔵庫１は、制御装置（図示せず）を備えており、この制御装置は、温度センサ等のセンサ類（図示せず）からの入力値を基に所定の演算処理を実行し、圧縮機１７等の各構成機器を制御している。
【００２９】
図２（Ａ）は、本発明の実施形態に係る冷蔵庫１の冷凍室１０内に配設される収納容器１９及び製氷装置２０を説明する斜視図であり、図２（Ｂ）は、図２（Ａ）に示す収納容器１９及び製氷装置２０を説明する上面図である。尚、図２（Ｂ）では、製氷皿１８、回転捩じり部２２及び貯氷量検知部２３を図示するため、製氷装置２０の一部を省略して図示している。
【００３０】
図２（Ａ）に示す如く、収納容器１９は、冷凍室１０（図１（Ｂ）参照）内に収納されている。収納容器１９の形状は、冷凍室１０の内部空間の形状に合わせて、概略、直方体形状であり、その上面が開口している。そして、断熱扉４（図１（Ａ）参照）には、その引き出し方向に延在する左右一対のサイドフレーム（図示せず）が取り付けられ、サイドフレームは収納容器１９と断熱扉４とを一体的に支持している。上述したように、断熱扉４は断熱箱体２（図１（Ａ）参照）に対して前後方向に引出自在であるが、断熱扉４の引出動作により収納容器１９も断熱箱体２に対して前後方向に引出自在となる。
【００３１】
ここで、製氷装置２０は、主に、給水タンク（図示せず）と、給水タンク内の水を製氷皿１８（図２（Ｂ）参照）へと供給する給水部（図示せず）と、製氷皿１８を支持する製氷部２１と、製氷部２１の前方側に配設され、製氷皿１８内に製氷された氷を自動落下させる回転捩じり部２２（図２（Ｂ）参照）と、製氷部２１の前方側に配設され、収納容器１９内の貯氷量を検知する貯氷量検知部２３（図２（Ｂ）参照）と、を有している。尚、給水タンク及び給水部は冷蔵室９内に配設され、貯氷量検知部２３の検知状況に応じて、給水タンクから一定間隔にて繰り返し製氷皿１８へと水を供給する。
【００３２】
図示したように、製氷部２１は、収納容器１９の中央より左側の上方であり、製氷部２１の後端面が収納容器１９の後方側の側面１９Ａとほぼ同じ位置となるように配設されている。一方、製氷部２１の前端面と収納容器１９の前方側の側面１９Ｂとの間には離間領域Ｌ１が形成されている。つまり、製氷部２１は、収納容器１９の側面１９Ｂよりも庫内側へ配設されている。
【００３３】
図２（Ｂ）に示す如く、製氷部２１では、庫内の後方側から前方側へ向けて、製氷皿１８、貯氷量検知部２３、回転捩じり部２２の順序にて配設されている。製氷皿１８の前端面と収納容器１９の側面１９Ｂとの間には離間領域Ｌ２が形成されている。そして、離間領域Ｌ２が離間領域Ｌ１よりも庫内の奥方まで配置されることで、製氷皿１８は、更に、収納容器１９の側面１９Ｂから庫内側へと配設されている。
【００３４】
この構造により、製氷皿１８から落下する氷と防音仕切体２４と衝突する位置が、出来る限り庫内側となることで、氷の落下時の衝突音が冷蔵庫の外側へと漏れ難くなる。あるいは、上記衝突音が減衰され、冷蔵庫の外側へと漏れる音量が小さくなる。
【００３５】
尚、貯氷量検知部２３では、検知レバー２３Ａが回動し、例えば、その回転量に応じて収納容器１９内の貯氷量を検知し、規定された回転量となるまでは給水タンクから一定間隔にて繰り返し製氷皿１８へと水を供給する。
【００３６】
図３（Ａ）は、本発明の実施形態に係る防音仕切体２４を説明する斜視図であり、図３（Ｂ）は、図３（Ａ）に示す防音仕切体２４の上面図であり、図３（Ｃ）は、図３（Ａ）に示す防音仕切体２４のＡ−Ａ線方向の断面図である。
【００３７】
図３（Ａ）に示す如く、防音仕切体２４は、例えば、合成樹脂から成る板状の部材である。そして、防音仕切体２４の砂状のハッチングにて示す領域が傾斜面２４Ａとして形成されている。具体的には、傾斜面２４Ａは、防音仕切体２４の幅方向において、右側から左側に向けて傾斜し、冷凍室１０（図１（Ａ）参照）の上方側が凸となる曲面として形成されている。
【００３８】
また、製氷皿１８（図２（Ｂ）参照）の下方領域Ｌ３では、傾斜面２４Ａは、防音仕切体２４の高さ方向において、その上端近傍から下端近傍に渡り全体的に形成されている。一方、製氷皿１８よりも庫内の前方側の領域、言い換えると、離間領域Ｌ２では、傾斜面２４Ａは、その前方側に向けて徐々にその形成領域が狭まるように形成されている。尚、防音仕切体２４は収納容器１９内の仕切体としての役割も果たしており、その高さは延在方向に渡り均一に形成されている。
【００３９】
図３（Ｂ）に示す如く、製氷皿１８よりも前方の離間領域Ｌ２では、防音仕切体２４は、その前方側に向けて収納容器１９の貯氷スペース２５（図４（Ａ）参照）が狭まる様に湾曲し、その後、再び、直線状に形成されている。詳細は後述するが、傾斜面２４Ａは製氷皿１８から落下した氷と衝突する構造となるため、製氷皿１８の下方では傾斜面２４Ａは収納容器１９の幅方向に幅広く形成されている。そして、防音仕切体２４は、その前方側に向けて傾斜面２４Ａが不要となるので、防音仕切体２４の前端側の幅Ｗ１はその後端側の幅Ｗ２よりも狭くなっている。
【００４０】
図３（Ｃ）に示す如く、防音仕切体２４の傾斜面２４Ａは、製氷部２１側へと凸となる曲面として形成されている。上述したように、製氷皿１８の下方領域Ｌ３では、傾斜面２４Ａが貯氷スペース２５側へと湾曲することで、防音仕切体２４の傾斜面２４Ａの下方は、隣の区画の冷凍食品等の収納スペース２６（図４（Ａ）参照）として用いられる。
【００４１】
図４（Ａ）は、本発明の実施形態に係る冷蔵庫１の冷凍室１０内に配設される収納容器１９及び防音仕切体２４を説明する斜視図であり、図４（Ｂ）は、製氷皿１８から自動落下する氷の軌跡を説明する断面図である。
【００４２】
図４（Ａ）に示す如く、防音仕切体２４は、その長手方向が冷凍室１０（図１（Ｂ）参照）の奥行方向と一致するように収納容器１９内に配設されている。図２（Ｂ）に示すように、防音仕切体２４の後端は収納容器１９の側面１９Ａに当接し、防音仕切体２４の前端は収納容器１９の側面１９Ｂに当接している。この構造により、収納容器１９は防音仕切体２４により区画され、製氷皿１８（図４（Ｂ）参照）の下方に位置し、収納容器１９の左側の区画領域は、貯氷スペース２５として利用される。また、収納容器１９は冷凍室１０に対して１つ配設される構造により、深い形状の収納容器１９を用いることができる。そして、貯氷スペース２５（図４（Ａ）参照）が大容量となり、貯氷量も増大させることができる。
【００４３】
一方、収納容器１９の右側の区画領域は、冷凍食品等の収納スペース２６として利用される。そして、図３（Ｃ）に示すように、防音仕切体２４の傾斜面２４Ａは、貯氷スペース２５側へと湾曲する構造であり、収納スペース２６には、例えば、冷凍ピザ等、幅広く形成された冷凍食品も収納し易い構造となる。
【００４４】
図４（Ｂ）に示す如く、製氷皿１８の下方には防音仕切体２４の傾斜面２４Ａが配設され、製氷皿１８から落下した氷は、最初に防音仕切体２４の傾斜面２４Ａに衝突した後、収納容器１９の底面１９Ｃや収納容器１９内に貯氷された氷と衝突する。そして、製氷皿１８の下方領域Ｌ３（図２（Ｂ）参照）において、少なくとも収納容器１９内に貯氷されていない状態では、落下した氷が、必ず最初に傾斜面２４Ａに衝突するように、防音仕切体２４は収納容器１９内に配設されている。つまり、傾斜面２４Ａは、製氷皿１８と収納容器１９の底面１９Ｃとの間に位置している。
【００４５】
ここで、製氷部２１の回転捩じり部２２（図２（Ｂ）参照）では、回転軸２２Ａを中心に製氷部２１の前方側が、製氷部２１の後方側よりも多く左方向または右方向へと回転することで、製氷皿１８が捻じれ氷は収納容器１９内へと落下する。
【００４６】
図示したように、製氷皿１８から落下した氷は、防音仕切体２４の傾斜面２４Ａに衝突することで、収納容器１９の底面１９Ｃと比較して、落下距離が短くなり、衝突時の衝撃も小さく、氷の落下時の衝突音が小さくなる。そして、傾斜面２４Ａに衝突した氷は、傾斜面２４Ａから跳ね、収納容器１９の底面１９Ｃや収納容器１９内に貯氷された氷と衝突する。尚、この衝突時には、既に、落下する氷の勢いが弱まっており、衝突音は発生するが、それ程大きな音とはならない。
【００４７】
また、製氷皿１８にて製氷される氷は多面形状の角張った形状となり、傾斜面２４Ａは製氷皿１８側へと凸な曲面となる。この構造により、製氷皿１８から落下する氷と傾斜面２４Ａの接触面積が出来る限り少なくなり、上記衝突音を小さくすることが出来る。
【００４８】
更には、防音仕切体２４の傾斜面２４Ａの構造により、貯氷スペース２５は収納容器１９の上側程幅広い形状となり、貯氷スペース２５は、例えば、逆三角形形状となっている。この構造により、製氷皿１８から落下した氷は、収納容器１９内に均等に積み重なり易くなり、多くの氷を貯氷することが可能となる。
【００４９】
尚、図３（Ａ）及び図３（Ｂ）に示すように、防音仕切体２４は、製氷皿１８の前方側では、収納容器１９の左側へと湾曲している。
【００５０】
図５（Ａ）は、本発明の実施形態に係る冷蔵庫１の冷凍室１０内に配設される収納容器１９を説明する斜視図であり、図５（Ｂ）は、図５（Ａ）に示す収納容器１９の収納スペースを説明する斜視図である。
【００５１】
図５（Ａ）に示す如く、収納容器１９の底面には、冷凍室１０（図１（Ｂ）参照）の奥行方向に沿った複数の凹部２７が、収納容器１９の幅方向に一定間隔にて複数形成されている。この構造により、収納容器１９の底面には収納容器１９の幅方向に複数の凹凸形状が繰り返し配列されることで、収納容器１９の底面の強度が向上される。
【００５２】
また、上記複数の凹部２７は、防音仕切体２４や仕切体２８の取付レールとしても機能し、防音仕切体２４や仕切体２８は、凹部２７に対して着脱自在に取り付けられる。例えば、冬場のように、氷の使用頻度が低減する場合には、製氷装置２０（図２（Ａ）参照）の製氷作業を停止させ、収納容器１９を１つの収納スペースとして利用することもできる。上述したように、ホームパーティ等の開催により冷凍ピザ等の冷凍食品の収納量が一時的に増加する様な場合、適宜、収納容器１９の収納スペースを変更することができる。このとき、収納容器１９の上方に配設された製氷部２１（図２（Ａ）参照）は取外すことが可能であり、製氷作業を停止する場合には、製氷部２１を取り外すことで、更に、冷凍室１０内の貯蔵量を増大させることもできる。
【００５３】
図５（Ｂ）に示す如く、製氷装置２０の製氷作業を停止させた場合には、２枚の仕切体２８、２９を用いて収納容器１９内を４つの収納スペースに区画して利用することも出来る。例えば、仕切体２８が凹部２７を介して収納容器１９に取り付けられることで、収納容器１９内の左右方向の収納スペースが区画され、仕切体２９が仕切体２８に対して嵌め込まれることで、収納容器１９内の前後方向の収納スペースが区画される。尚、収納容器１９内を更に細かく区画することも可能である。そして、防音仕切体２４や仕切体２８が収納容器１９に対して着脱自在に取り付け可能となることで、使用者の目的に応じて、収納容器１９内に様々な収納スペースをアレンジすることが可能となる。
【００５４】
尚、本実施形態では、収納容器１９の底面１９Ｃや防音仕切体２４の傾斜面２４Ａに防音シートを配設しない場合について説明したがこの場合に限定するものではない。例えば、収納容器１９の底面１９Ｃや防音仕切体２４の傾斜面２４Ａに防音シートを配設することで、更に、製氷皿１８から落下する氷の衝突音を低減させる場合でも良い。その他、本発明の要旨を逸脱しない範囲で、種々の変更実施が可能である。
【符号の説明】
【００５５】
１  冷蔵庫
２  断熱箱体
１０  冷凍室
１８  製氷皿
１９  収納容器
１９Ａ、１９Ｂ  側面
１９Ｃ  底面
２０  製氷装置
２１  製氷部
２２  回転捩じり部
２３  貯氷量検知部
２４  防音仕切体
２４Ａ  傾斜面
２５  貯氷スペース
２６  収納スペース
２７  凹部
２８  仕切体
２９  仕切体
【図１】
2018059693.tif 000003
【図２】
2018059693.tif 000004
【図３】
2018059693.tif 000005
【図４】
2018059693.tif 000006
【図５】
2018059693.tif 000007
【図６】
2018059693.tif 000008